(57)【要約】【課題】表示画像の取り込み作業が煩わしいという問題や、装置の小形化が困難で薄型のデザインが得にくいという問題を解決する。【解決手段】情報記録再生装置１０は、複数の記録媒体に記録された記録情報を蓄積し、蓄積された情報の中から検索された情報を再生する情報記録再生装置であり、画像情報を取り込むスキャナ（画像情報取り込み手段）１３と、スキャナ１３により取り込まれた画像情報とディスク（記録媒体）２６に記録された記録情報とを関連付けて蓄積するＨＤＤ（記憶手段）１４と、ＨＤＤ１４に記憶された画像情報を表示する表示パネル（表示部）１６と、表示パネル１６に表示された画像情報を参照しながらＨＤＤ１４に蓄積された情報の検索および再生を操作するタッチパネル（操作部）１５と、を有する。【選択図】        図２
2005011424.tif 000002
【特許請求の範囲】
【請求項１】
複数の記録媒体に記録された記録情報を蓄積し、蓄積された情報の中から検索された情報を再生する情報記録再生装置であって、
画像情報を取り込む画像情報取り込み手段と、
前記画像情報取り込み手段により取り込まれた画像情報と記録媒体に記録された記録情報とを関連付けて蓄積する記憶手段と、
前記記憶手段に記憶された画像情報を表示する表示部と、
前記表示部に表示された画像情報を参照しながら前記記憶手段に蓄積された情報の検索および再生を操作する操作部と、を有することを特徴とする情報記録再生装置。
【請求項２】
前記画像情報取り込み手段が、前記表示部上を走査して画像情報の取り込みを行うように構成されたことを特徴とする請求項１に記載の情報記録再生装置。
【請求項３】
前記画像情報取り込み手段が、装置本体内に挿入された記録媒体表面の画像を走査可能となるように、前記表示部が透明または半透明であることを特徴とする請求項２に記載の情報記録再生装置。
【請求項４】
前記操作部は、前記画像表示部と一体に構成されたことを特徴とする請求項２または３に記載の情報記録再生装置。
【請求項５】
前記記録媒体に記録された記録情報は、音声情報および記録媒体の固有情報であり、前記表示部に前記固有情報に含まれる楽曲情報を表示して、前記記憶手段に蓄積された情報の中から所望の楽曲を検索可能に構成されたことを特徴とする請求項１〜４のいずれかに記載の情報記録再生装置。
【請求項６】
固有情報がＣＤ（Ｃｏｍｐａｃｔ  Ｄｉｓｃ）に固有のＴＯＣ（Ｔａｂｌｅ  Ｏｆ  Ｃｏｎｔｅｎｔｓ）情報であることを特徴とする請求項５に記載の情報記録再生装置。
【発明の詳細な説明】
【０００１】
【発明の属する技術分野】
本発明は、情報記録再生装置に関する。
【０００２】
【従来の技術】
従来のＣＤ（Ｃｏｍｐａｃｔ  Ｄｉｓｃ）プレーヤには、ＣＤを再生したとき、このＣＤが持つＴＯＣ（Ｔａｂｌｅ  Ｏｆ  Ｃｏｎｔｅｎｔｓ）情報を、メモリに取り込んでＣＤの特定を行うカスタムファイル機能が付与されたものがある。このようなＣＤプレーヤでは、ユーザが入力したタイトルなどの文字列にＴＯＣ情報を関連させることで、次に同じＣＤを演奏したとき、そのＣＤを判別して表示部に先にユーザが入力した前記文字列を自動的に表示させることができる。
【０００３】
しかし、前記文字列のみでは、演奏中のＣＤの内容を直感的に読み取ることは困難である。これに対して、カーオーディオ装置において、再生情報に関連する画像情報を装置とは別体のスキャナにより取り込み、取り込んだ画像を記憶手段に記憶させるとともに表示部に表示させる装置が提案されている（例えば、特許文献１参照）。
【０００４】
また、ＣＤチェンジャー等のように多数のＣＤ（記録媒体）を収納し、これらのＣＤのうち指定したものを再生するＣＤプレーヤにおいても、各記録媒体を視覚的に認識できるように、ＴＯＣ情報対応の記録媒体表示画像として表示させるものが提案されている（例えば、特許文献２参照）。
【０００５】
【特許文献１】
特開２００１−３３２０７３号公報（第３頁、図１）
【特許文献１】
特開２００２−９４９２０号公報（第５頁、図２）
【０００６】
【発明が解決しようとする課題】
しかしながら、従来のカーオーディオ装置は、装置本体とは独立して設けられたスキャナやデジタルカメラから取り込んだ表示画像を、ＴＯＣ情報に関連付けて保存し、表示するというものである。このため、ＣＤ（記録媒体）の再生時に装置本体とスキャナをケーブルで接続する作業および表示画像の取り込みの作業が煩わしいという問題があった。
また、ＣＤチェンジャー等のように多数のＣＤを収納し、これらのＣＤのうち指定したものを再生する装置は、装置の小形化に限界があり、デザインが重視される民生用の音響装置としてすっきりした薄型のデザインが得にくいという問題があった。
【０００７】
本発明が解決しようとする課題としては、上述した従来技術において生じている表示画像の取り込み作業が煩わしいという問題の解決や、小形化が困難で薄型のデザインが得にくいという問題の解決などがそれぞれ一例として挙げられる。
【０００８】
【課題を解決するための手段】
請求項１に記載の情報記録再生装置は、複数の記録媒体に記録された記録情報を蓄積し、蓄積された情報の中から検索された情報を再生する情報記録再生装置であって、画像情報を取り込む画像情報取り込み手段と、前記画像情報取り込み手段により取り込まれた画像情報と記録媒体に記録された記録情報とを関連付けて蓄積する記憶手段と、前記記憶手段に記憶された画像情報を表示する表示部と、前記表示部に表示された画像情報を参照しながら前記記憶手段に蓄積された情報の検索および再生を操作する操作部と、を有することを特徴とする。
【０００９】
【発明の実施の形態】
以下、本発明の実施の形態について図面を参照して説明する。
図１は、本実施の形態における情報記録再生装置１０の構成を説明するブロック図である。
図１に示すように、情報記録再生装置１０は、データバス２０を介して、ＣＰＵ１１、ディスク駆動機構１２、スキャナ１３、ＨＤＤ（Ｈａｒｄ  Ｄｉｓｋ  Ｄｒｉｖｅ：ハードディスクドライブ）１４、操作部（タッチパネル）１５、表示部（表示パネル）１６、再生部１７が接続されている。
【００１０】
ＣＰＵ１１は、データバス２０を介して制御信号を送受信することにより各部の制御を行う。
ディスク駆動機構１２は、ＣＤ等のディスクから光学的に読み出された音声情報、ディスクの固有情報（ＣＤの場合はＴＯＣ情報）等を電気信号に変換してデータバス２０へ出力する。
スキャナ（画像情報取り込み手段）１３は、光学的に走査した画像情報を電気信号に変換してデータバス２０へ出力する。
ＨＤＤ（記憶手段）１４には、スキャナ１３により取り込んだ画像情報と、ＣＤ等のディスクを再生して得た音声情報などの情報を、ディスクの固有情報に関連付けて記憶し蓄積される。
操作部（タッチパネル）１５は、使用者が情報記録再生装置１０の所望の操作入力を行うための部分である。
表示部（表示パネル）１６は、使用者が視認できるように、画像情報やディスクの固有情報を示すテキスト等が表示される部分である。
再生部１７は、ＣＤ等のディスクまたはＨＤＤ１４から再生された音声情報などの記録情報を増幅・再生し、スピーカ装置等に音声信号を送信する。
【００１１】
次に、本実施の形態における情報記録再生装置１０の構造の一例を挙げ、図２および図３を用いて説明する。図２および図３は本発明の実施の形態における情報記録再生装置１０の構造を示す平面図および正面図である。
情報記録再生装置１０は、長方形で肉薄の装置本体２１からなり、装置本体２１左方の上面には、略正方形で透明または半透明のタッチパネル１５が設置されている。このタッチパネル１５は周知のように透明電極を持ち、表面に当接された使用者の指やペン先等の位置を座標検知するように機能する。
また、タッチパネル１５の下面あるいはタッチパネル１５と一体化して画像表示手段である表示パネル１６が設けられている。この表示パネル１６としては、例えば、液晶表示パネル、有機ＥＬ表示パネル等を用いることができる。
【００１２】
さらに、タッチパネル１５の表面上はＣＤジャケットが載置できる広さがあり、ＣＤジャケットを載置してジャケット表面の画像を走査できるように、ＣＤジャケットの高さ分以上の間隙を空けて、後端位置に画像取り込み手段としてのスキャナ１３が配置されている。
そして、スキャナ１３は、図示しないスキャナ駆動機構によって、縁部のガイドに沿ってタッチパネル１５の上方を滑らかに移動可能に設置されており、常時は後端位置に待機して、走査時にはタッチパネル１５の先端位置へ移動した後、後端位置へ復帰する。
また、図３に示すように、装置本体２１の正面（肉厚部）には、タッチパネル１５および表示パネル１６の下方にディスク２６を矢印方向に挿入するディスク挿入口２５が設けられている。
【００１３】
また、ディスク挿入口２５の内部には、挿入されたディスク２６を再生駆動するディスク駆動機構１２（図示せず）が設けられている。
さらに、ディスク挿入口２５の内部には、ディスク２６に記録された音声情報や固有情報を光学的に読み出す光ピックアップ等（図示せず）が設置されている。
【００１４】
次に、本実施の形態における情報記録再生装置１０おける画像情報の取り込み方法の一例を挙げ図２〜図６を用いて説明する。図４〜図６は、図２の情報記録再生装置１０による画像情報の取り込み方法の説明図である。
まず、前述の図２に示すように、装置本体２１内にディスク２６をディスク挿入口２５（図３参照）から矢印方向に挿入する。
そして、図４に示すように、タッチパネル１５上に、挿入したディスク２６のＣＤジャケット２７を載置する。
これにより、タッチパネル１５上に載置されたＣＤジャケット２７などの表面に印刷された画像を走査可能である。なお、タッチパネル１５上に載置する物体はＣＤジャケット２７以外のものでもよいが、その画像を見れば即座にディスクが特定できるものであることが好ましい。
一方、タッチパネル１５上に何も載置されていない場合は、タッチパネル１５および表示パネル１６をスキャナから発せられた光が透過するので、スキャナ３は、ディスク挿入口２５内に挿入されたディスク２６の表面の印刷画像（レーベル）を走査可能である。
【００１５】
次に、タッチパネル１５上に載置されたＣＤジャケット２７を、スキャナ１３がタッチパネル１５および表示パネル１６を通して走査を実施している状態を図５に示す。
図５に示すように、この走査によって、スキャナ１３が矢印方向に移動し、タッチパネル１５上に載置されたＣＤジャケット２７の表面の画像情報を読み取る。そして、この読み込まれた画像情報は、装置本体２１の内部に備えられたＨＤＤ１４に蓄積される。
【００１６】
次に、スキャナの走査が終了した後、タッチパネル１５上からジャケット２７が取り除かれた状態を図６に示す。図６に示すように、このときタッチパネル１５を通して表示パネル１６上に表示された表示画像２８を外部から見ることができる。
一方、ディスク２６の再生動作が適宜行われて、ディスク２６内の記録情報が読み込まれ、上記の画像情報と関連づけてＨＤＤ１４に記録・蓄積される。
【００１７】
本実施の形態における情報記録再生装置１０は、例えば複数の音楽ディスクのデータをＨＤＤ１４に蓄積することによりライブラリ化し、このライブラリの中から使用者が所望するデータを検索して、再生することができる。
次に、前述した図２〜図６を参照しつつ、図７のフローチャートを用いてライブラリの作成手順を説明する。
【００１８】
まず、図２に示したように、ライブラリ化するディスク２６を装置本体２１のディスク挿入口２５内に挿入し（ステップＳ１）、続いて、図４に示したように、このディスク２６を収納していたケースのＣＤジャケット２７をタッチパネル１５上に載置する（ステップＳ２）。
【００１９】
ＣＤジャケット２７を載置すると、自動的にスキャナ１３による走査が開始され（図５参照）、ＣＤジャケット２７表面の印刷画像が取り込まれる（ステップＳ３）。
【００２０】
なお、ステップＳ２で、ジャケット２７がタッチパネル１５上に載置されない場合には、挿入されたディスク２６表面の印刷画像（レーベル）がスキャナ１３によって取り込まれる。
【００２１】
以上の操作により取り込まれた画像は、直ちに表示パネル１６上に表示される（図６参照）。また、ディスク駆動機構１２がディスク２６を駆動・再生すると、記録情報である音声情報とともにＴＯＣ情報が読み出される（ステップＳ４）。
【００２２】
そして、ジャケット２７から得られた画像情報およびディスク２６から得られた音声情報が、そのディスク２６に固有のＴＯＣ情報に関連付けて、ＨＤＤ１４に記憶し蓄積される（ステップＳ５）。ディスク２６を排出し（ステップＳ６）、次のディスクを挿入して前述のステップ１〜ステップ６を繰り返す。これにより、ＨＤＤ１４の蓄積容量限度内においてのライブラリ化が行われる。
【００２３】
次に、ＨＤＤ１４に蓄積されたライブラリの音声情報を検索して再生する手順を、図８のフローチャートを参照して説明する。
まず、ＨＤＤ１４を駆動して、ＣＰＵ１１の制御下でＨＤＤ１４の再生モードとする（ステップＳ１１）。
この再生モードでは、表示パネル１６にはライブラリに蓄積された画像（ディスクまたはジャケットの表面に印刷された画像が表示されるため、タッチパネル１５を操作してディスクの画像を表示させて選択する（ステップＳ１２）。
【００２４】
この選択は、タッチパネル１５を指先またはペン先等で左または右へ擦ることにより、次々に変化する画像を見て行うことができる。これにより、再生を希望するディスクの音声情報に対応する画像をプッシュ操作することにより、希望ディスクの音声情報を指定できる。
【００２５】
続いて、選択した音声情報に収録された楽曲の中から希望する曲を選択する（ステップＳ１３）。この場合において、タッチパネル１５を指先またはペン先等で上下方向に擦る。これにより、選択したディスクに収録された楽曲の曲番、曲名、演奏者、作曲者などがテキスト表示され（ステップＳ１４）、希望の楽曲に対応するテキストをプッシュ操作することにより、選択された楽曲の再生が開始される（ステップＳ１５）。このようにして、再生を希望するディスクの音声情報の検索・選択およびこれに収録された楽曲の検索・選択を簡単に行うことができる。
【００２６】
また、タッチパネル１５の他の操作方法としては、例えば、タッチパネル１５を強く押すと音量アップ、軽く押すと音量ダウン、円を描くように左方に擦ると巻き戻し、右方に擦ると早送り、所定の強さ以上に激しく擦るとデータの削除を行うなどとして、一般にディスクプレーヤ（レコーダ）で必要とされる各種の操作を行うこともできる。
【００２７】
なお、タッチパネル１５の操作パターンは、前述の操作方法の一例に述べた、左または右へ擦る、あるいは、上下方向に擦る以外の操作パターンを用いて、画像あるいは希望するディスクの音声情報の検索・選択およびこれに収録された楽曲の検索・選択ができるようにしてもよい。
【００２８】
なお、情報記録再生装置１０において、音声再生に用いるスピーカは、装置本体２１の内部に設置することもできるが、装置本体２１の外部に設置して再生部１７と電気的に接続するようにしてもよい。
【００２９】
また、本実施の形態においては、主に音楽ＣＤに記録された音声情報を記録再生する場合について述べたが、ＶＣＤ（Ｖｉｄｅｏ  ＣＤ）、ＭＤ（Ｍｉｎｉ  Ｄｉｓｃ）、ＤＶＤ（Ｄｉｇｉｔａｌ  Ｖｅｒｓａｔｉｌｅ  Ｄｉｓｋ）等の音楽ＣＤ以外の記録媒体（ディスク）に記録された音声情報や映像情報をＨＤＤにライブラリ化して記録し、再生する場合に、これらの各情報を検索するのにも利用できることはいうまでもない。
【００３０】
以上詳述したように、本実施の形態における情報記録再生装置１０は、複数の記録媒体に記録された記録情報を蓄積し、蓄積された情報の中から検索された情報を再生する情報記録再生装置であり、画像情報を取り込むスキャナ（画像情報取り込み手段）１３と、スキャナ１３により取り込まれた画像情報とディスク（記録媒体）２６に記録された記録情報とを関連付けて蓄積するＨＤＤ（記憶手段）１４と、ＨＤＤ１４に記憶された画像情報を表示する表示パネル（表示部）１６と、表示パネル１６に表示された画像情報を参照しながらＨＤＤ１４に蓄積された情報の検索および再生を操作するタッチパネル（操作部）１５と、を有する。
これにより、ＨＤＤ１４に蓄積した多数の記録媒体上の記録情報の検索を、ディスク２６表面やＣＤジャケット２７等の表示画像を見ながらの検索操作によって、直感的に誤りなく行うことができる。
したがって、ディスク２６の固有情報をもとにＨＤＤ１４に蓄積された画像情報から、使用者が希望するディスク２６およびこれに記録された楽曲の検索を、煩わしい操作や作業なしに行うことができる。また、装置本体２１を小型ですっきりした薄型のデザインに構成できる。
【図面の簡単な説明】
【図１】本発明の実施の形態における情報記録再生装置のシステム構成を示すブロック図である。
【図２】本発明の実施の形態における情報記録再生装置を示す平面図である。
【図３】本発明の実施の形態における情報記録再生装置を示す正面図である。
【図４】本発明の実施の形態における情報記録再生装置においてタッチパネル上にＣＤジャケットが載置された状態を示す図である。
【図５】本発明の実施の形態における情報記録再生装置においてＣＤジャケット表面の画像が走査される状態を示す図である。
【図６】本発明の実施の形態における情報記録再生装置において表示パネルに画像表示された状態を示す図である。
【図７】本発明の実施の形態における情報記録再生装置においてディスクをライブラリ化する手順を示すフローチャートである。
【図８】本発明の実施の形態における情報記録再生装置においてディスクの検索手順を示すフローチャートである。
【符号の説明】
１０  情報記録再生装置
１３  スキャナ（画像情報取り込み手段）
１４  ＨＤＤ（記憶手段）
１５  タッチパネル（操作部）
１６  表示パネル（表示部）
２６  ディスク（記録媒体）
２７  ＣＤジャケット
【図１】
2005011424.tif 000003
【図２】
2005011424.tif 000004
【図３】
2005011424.tif 000005
【図４】
2005011424.tif 000006
【図５】
2005011424.tif 000007
【図６】
2005011424.tif 000008
【図７】
2005011424.tif 000009
【図８】
2005011424.tif 000010